(57)【要約】【課題】  本発明は、間接的に財布や封筒内の磁気カードからの個人情報の不正な読み取り防止することができる磁気情報記録カードの不正情報読み取り防止具を提供することを目的とするものである。【解決手段】  本発明を適用した不正情報読み取り防止具１は、例えば財布内に収納される紙幣と略同じ大きさ合成樹脂素材より形成されるシート本体２とこのシート本体２の一側面、あるいは両側面に形成される磁性層３とから構成されるものである。【選択図】      図１
2006006607.tif 000002
【特許請求の範囲】
【請求項１】
少なくとも磁気カード面積領域を備えるシート本体と、
前記シート本体面に形成される磁性層を備える
ことを特徴とする磁気情報記録カードの不正情報読み取り防止具。
【請求項２】
磁気カードを収容するに足る面積および高さの収容領域を備え、かつ出し入れ自在とされる開口部が形成されるカード収納部と、
前記カード収納部面に形成される磁性層を備える
ことを特徴とする磁気情報記録カードの不正情報読み取り防止具。
【請求項３】
前記磁性層に防止用磁気情報がランダムに記録される
ことを特徴とする請求項１または２に記載の磁気情報記録カードの不正情報読み取り防止具。
【発明の詳細な説明】
【技術分野】
【０００１】
本発明は、磁気情報記録カードの不正情報読み取り防止シートに関する。詳しくは財布やバッグなどに収納される磁気情報記録カードの磁気情報を不正に読み取るのを防止する不正情報読み取り防止具に係るものである。
【背景技術】
【０００２】
従来、カードに設けられた磁気記録層に銀行口座などの個人情報が記録されているクレジットカード、キャッシュカードなどの磁気カードから不正に磁気情報を読み取る行為が行われている。
【０００３】
この不正行為の多くは磁気カードを一時的に抜き取って磁気情報読み取り装置によって磁気ヘッドに接触させて読み取るものであるが、最近では財布やバッグに収納している磁気カードを財布やバッグ外（非接触）より読み取る行為が多くなってきている。
【０００４】
この磁気情報の読み取り装置として例えば図８に示す発明がある。この発明は磁気により情報を記録する磁気情報記録カード類を搬送しながら記録情報を非接触方式で読み取る装置において、前記搬送路の所定の位置に前記搬送路に近接しては配設された非接触式磁気センサ１０１から出力される信号に基づき前記カード類に記録されている情報を読み取る読み取り手段をそなえた構成の磁気情報記録カード類の情報読み取り装置である（特許文献１参照。）。
【０００５】
また、複数枚の磁気カードを他の磁気から保護した状態で携帯するために用いられるケースとして図９に示す発明がある。この発明におけるカード磁気防止ケースは、凹状の磁気防止材料製の本体１０２と、この本体１０２の開口部１０３を塞ぐために一端を本体１０２の一端に回動自在に連結した磁気防止材料製の蓋１０４とから構成される（特許文献２参照。）。
【０００６】
【特許文献１】特開平１０−３４０４０５号公報（要約書、第１図）
【０００７】
【特許文献２】特開平７−８３１６号公報（実施例、第１図）
【発明の開示】
【発明が解決しようとする課題】
【０００８】
しかしながら例えば特許文献１で詳述した非接触による磁気情報読み取り手段では、財布やバックに収納されている磁気カードから所有者が知らないうちに銀行口座などの個人情報が読み取られることや、銀行やクレジット会社から郵便によって送付される封筒内の磁気カードから個人情報が読み取られる問題がある。
【０００９】
また、特許文献２における発明では、複数枚の磁気カードをアルミニウム板などから形成されるケース本体内に収納することで他の磁気からの保護するものであるが、特にキャッシュカードなどの磁気カードは財布に入れることが多く、別個のケース内に収納して持ち歩くのには非常に不便となる問題がある。
【００１０】
更に、前述した銀行やクレジット会社から郵便によって送付される封筒内の磁気カードには対応できない問題ある。
【００１１】
本発明は、以上の点に鑑みて創案されたものであって、間接的に財布や封筒内の磁気カードからの個人情報の不正な読み取り防止することができる磁気情報記録カードの不正情報読み取り防止具を提供することを目的とするものである。
【課題を解決するための手段】
【００１２】
上記の目的を達成するために、本発明に係る磁気情報記録カードの不正情報読み取り防止シートは、少なくとも磁気カード面積領域を備えるシート本体と、前記シート本体面に形成される磁性層を備える。
【００１３】
ここで、例えばポリエリレンテレフタレート（ＰＥＴ）などの合成樹脂素材よりなる磁気カード面積領域を備えるシート本体の片面、あるいは両面に磁性粉からなる磁性層を形成し、このシート本体によって財布内やバック内に収納される磁気カードを挟むことにより、磁気情報読み取り装置としての例えば磁気ヘッドや磁気センサーからの信号を遮断することになる。
【００１４】
また、上記の目的を達成するために、本発明に係る磁気情報記録カードの不正情報読み取り防止シートは、磁気カードを収容するに足る面積および高さの収容領域を備え、かつ出し入れ自在とされる開口部が形成されるカード収納部と、前記カード収納部面に形成される磁性層を備える。
【００１５】
ここで、例えばポリエリレンテレフタレート（ＰＥＴ）などの合成樹脂素材よりなる磁気カードを収容するに足る面積および高さの収容領域を備え、かつ出し入れ自在とされる開口部が形成されるカード収納部の全面に磁性粉からなる磁性層を形成し、このカード収納部に磁気カードを収納することにより、磁気情報読み取り装置としての例えば磁気ヘッドや磁気センサーからの信号を遮断することになる。
【００１６】
また、前記シート本体、あるいはカード収納部の磁性層に防止用磁気情報をランダムに記録させることによって磁性層を通して磁気カードの磁気情報が読み取られた場合であっても磁性層にランダムに記録される磁気情報も同時に読み取られて磁気カードに記録される磁気情報と混同された状態となり正確な個人情報を抽出することができなくなる。
【発明の効果】
【００１７】
以上述べてきたように財布内で紙幣と同形のシート本体によって磁気カードを挟むことにより、磁気カードに直接に触れないで読み取り装置によって磁気情報を読み取られる場合には、シート本体面に形成される磁性層によって磁気信号が遮断される。
【００１８】
また、カード収納部の全面に磁性層を形成することによって磁気カードをカード収納部に収納した状態で郵送やバックなどに収納することで、例えば銀行等から郵送される磁気カードからの個人情報の不正読み取りが防止される。
【００１９】
また、磁性層に防止用磁気情報をランダムに記録させることによって精度の高い読み取り装置によって磁気カードに記録される個人情報が読み取られる場合であっても防止用磁気情報と混同した状態で読み取られることで個人情報の不正読み取りが防止される。
【発明を実施するための最良の形態】
【００２０】
以下、本発明の実施の形態を図面を参酌しながら説明し、本発明の理解に供する。
図１は、本発明を適用した磁気情報記録カードの不正情報読み取り防止具の一例を示す斜視図、図２は図１における要部拡大説明図である。
【００２１】
ここで示す磁気情報記録カードの不正情報読み取り防止具１は、例えば財布内に収納される紙幣と略同じ大きさ合成樹脂素材より形成されるシート本体２とこのシート本体２の一側面、あるいは両側面に形成される磁性層３とから構成されるものである。
【００２２】
そこでシート本体１は、ポリエチレンテレフレート（ＰＥＴ）などの合成樹脂素材より形成され、このシート本体２面に例えば磁性粉をポリウレタン樹脂・塩化ビニルー酢酸ビニル共重合体および溶剤に分散させて作製した磁性塗料を塗布することで磁性層３を形成するものである。
【００２３】
また、図３は、本発明を適用した磁気情報記録カードの不正情報読み取り防止具の他の例を示す斜視図、図４は図３における要部拡大説明図である。
【００２４】
ここで示す磁気情報記録カードの不正情報読み取り防止具１は、磁気カードを収容するに足る面積および高さの収容領域を備え、かつ出し入れ自在とされる開口部４が形成されるカード収納部５と、このカード収納部５の全面に形成される磁性層３とから構成されるものである。
【００２５】
そこでカード収納部５は、前記シート本体で詳述したように、ポリエチレンテレフレート（ＰＥＴ）などの合成樹脂素材より形成され、このシート本体２面に例えば磁性粉をポリウレタン樹脂・塩化ビニルー酢酸ビニル共重合体および溶剤に分散させて作製した磁性塗料を塗布することで磁性層３を形成するものである。
【００２６】
また、前記シート本体、あるいはカード収納部の磁性層３に防止用磁気情報として数字等をランダムに入力することにより不正に磁気カードの個人情報が読み取られる際に、同時に防止用磁気情報も読み取られて個人情報と混同することにより読み取られた情報が全く別なものに変わったしまうことで個人情報の盗難を防止するものである。
【００２７】
なお、磁性層は必ずしも磁性塗料によって形成する必要性は無く、例えば磁性粉を蒸着させることで磁性層を形成する方法、さらには合成樹脂素材内に磁性粉末を錬り込んでシート本体、あるいはカード収納部を作成するなど種々の方法が考えられる。
【００２８】
また、シート本体あるいはカード収納部は必ずしもポリエチレンテレフレート（ＰＥＴ）などの合成樹脂素材により形成される必要性は無く、磁性層を形成することができるものであれば布や紙類であっても構わない。
【００２９】
以上の構成よりなる本発明では図５に示すようにシート本体２を使用する場合には、財布６内に紙幣と同じ大きさに作製されたシート本体２を２枚入れ、この２枚のシート本体１との間に磁気カード７を差し込むことによって、磁気カード７に直接触れないで個人情報を読み取る不正手段に対して、シート本体２面に形成される磁性層によって読み取り装置から出される磁気信号を遮断するものである。
【００３０】
また、図６に示すようにカード収納部５を使用する場合には、カード収納部５内に磁気カード７を差し入れることによって、磁気カード７に直接触れないで個人情報を読み取る不正手段に対して、シート本体２面に形成される磁性層によって読み取り装置から出される磁気信号を遮断することが可能となり、例えば銀行などから郵送によって送られる封筒内にカード収納部内に磁気カードを入れた状態で送ることによって磁気カードからの不正な読み取りを完全に防止することが可能となる。
【００３１】
また、前記シート本体、あるいはカード収納部の磁性層３に防止用磁気情報として数字等をランダムに入力することにより、もし磁気カードの個人情報が読み取られた場合であってもカード収納部の磁性層に書き込まれた防止用磁気情報と混同することにより全く異なる磁気情報が読み取られることとなる。
【００３２】
さらに、図７（イ）、（ロ）に示すようにシート本体２、あるいはカード収納部５の表面に、例えば銀行やクレジット会社などの広告や社名などを印刷することによって、磁気カードを作る際の販促品として活用することができる。
【図面の簡単な説明】
【００３３】
【図１】本発明を適用した磁気情報記録カードの不正情報読み取り防止具の一例を示す斜視図である。
【図２】図１における要部拡大説明図である。
【図３】本発明を適用した磁気情報記録カードの不正情報読み取り防止具の他の例を示す斜視図である。
【図４】図３における要部拡大説明図である。
【図５】本発明を適用した磁気情報記録カードの不正情報読み取り防止具のシート本体の使用例を示す説明図である。
【図６】本発明を適用した磁気情報記録カードの不正情報読み取り防止具のカード収納部の使用例を示す説明図である。
【図７】本発明を適用した磁気情報記録カードの不正情報読み取り防止具のシート本体およびカード収納部に印刷を付した状態を示す説明図である。
【図８】磁気情報の読み取り装置の一例を示す説明図である。
【図９】従来の磁気情報の不正読み取り防止手段としてのカード磁気防止ケースの一例を示す説明図である。
【符号の説明】
【００３４】
１      磁気情報記録カードの不正情報読み取り防止具
２      シート本体
３      磁性層
４      開口部
５      カード収納部
６      財布
７      磁気カード
【図１】
2006006607.tif 000003
【図２】
2006006607.tif 000004
【図３】
2006006607.tif 000005
【図４】
2006006607.tif 000006
【図５】
2006006607.tif 000007
【図６】
2006006607.tif 000008
【図７】
2006006607.tif 000009
【図８】
2006006607.tif 000010
【図９】
2006006607.tif 000011